(57)【特許請求の範囲】
【請求項１】
カラオケシステムで利用されるリモコン装置にログイン処理を実行したユーザを識別可能なユーザ識別情報を記憶する記憶手段と、
前記リモコン装置と通信可能なカラオケ装置に予約された楽曲の識別番号と、楽曲を予約したユーザを示すユーザ識別情報と、予約した楽曲を前記カラオケ装置において非表示にするかまたは表示にするかを示す設定情報とが対応付けられた予約リストを取得する取得手段と、
前記カラオケ装置へ予約した楽曲を、前記リモコン装置へ表示させる表示要求を受け付ける受付手段と、
前記受付手段により表示要求を受け付けたことに応じて、前記予約リストの中に前記記憶手段に記憶された前記ユーザ識別情報がある場合、前記記憶手段に記憶された前記ユーザ識別情報と対応付けられた楽曲を、前記リモコン装置において表示可能に設定する第１設定手段と、
前記受付手段により表示要求を受け付けたことに応じて、前記予約リストの中に前記記憶手段に記憶された前記ユーザ識別情報がない場合、取得した予約リストが含む設定情報に従って、前記リモコン装置において楽曲の表示または非表示を設定する第２設定手段と、
を備えることを特徴とするリモコン装置。
【請求項２】
前記リモコン装置は、
前記リモコン装置にログイン処理を実行したユーザごとに、前記リモコン装置の表示画面に表示される表示情報を切り替え可能であって、前記表示画面に現在表示されている表示情報のユーザを示すユーザ識別情報を決定する決定手段と、
前記受付手段により、表示要求が受け付けられた場合、前記予約リストの中に、前記決定手段により決定された前記ユーザ識別情報があるか否かを判定する第１判定手段と、
をさら備え、
前記第１設定手段は、前記第１判定手段により、前記予約リストの中に、前記決定手段により決定された前記ユーザ識別情報があると判定された場合、前記決定手段により決定された前記ユーザ識別情報と対応付けられた楽曲を、前記リモコン装置において表示可能に設定し、
前記第２設定手段は、前記第１判定手段により、前記予約リストの中に、前記決定手段により決定された前記ユーザ識別情報があると判定されなかった場合、取得した予約リストが含む設定情報に従って、前記リモコン装置において楽曲の表示または非表示を設定することを特徴とする請求項１に記載のリモコン装置。
【請求項３】
前記リモコン装置は、
前記第１設定手段により、前記リモコン装置において前記楽曲が表示可能に設定されてから所定の時間が経過したかを判定する第２判定手段をさらに備え、
前記第２判定手段により、前記リモコン装置において前記楽曲が表示可能に設定されてから所定の時間が経過したと判定された場合、前記第２設定手段は、取得した予約リストが含む設定情報に従って、前記リモコン装置において楽曲の表示または非表示を設定することを特徴とする請求項１または請求項２に記載のリモコン装置。
【請求項４】
カラオケシステムで利用されるリモコン装置にログイン処理を実行したユーザを識別可能なユーザ識別情報を記憶する第１記憶手段と、
前記リモコン装置と通信可能なカラオケ装置に予約された楽曲の識別番号と、楽曲を予約したユーザを示すユーザ識別情報と、予約した楽曲を前記カラオケ装置において非表示にするかまたは表示にするかを示す設定情報とが対応付けられた予約リストを取得する取得手段と、
前記カラオケ装置へ予約した楽曲を、前記リモコン装置へ表示させる表示要求を受け付ける受付手段と、
前記受付手段により表示要求を受け付けたことに応じて、前記予約リストの中に前記第１記憶手段に記憶された前記ユーザ識別情報がある場合、前記第１記憶手段に記憶された前記ユーザ識別情報と対応付けられた楽曲を、前記リモコン装置において表示可能に設定する第１設定手段と、
前記受付手段により表示要求を受け付けたことに応じて、前記予約リストの中に前記第１記憶手段に記憶された前記ユーザ識別情報がない場合、取得した予約リストが含む設定情報に従って、前記リモコン装置において楽曲の表示または非表示を設定する第２設定手段と、
を備えるリモコン装置を含むことを特徴とするカラオケシステム。
【請求項５】
前記リモコン装置は、
前記リモコン装置にログイン処理を実行したユーザごとに、前記リモコン装置の表示画面に表示される表示情報を切り替え可能であって、前記表示画面に現在表示されている表示情報のユーザを示すユーザ識別情報を決定する決定手段と、
前記受付手段により、表示要求が受け付けられた場合、前記予約リストの中に、前記決定手段により決定された前記ユーザ識別情報があるか否かを判定する第１判定手段と、
をさら備え、
前記第１設定手段は、前記第１判定手段により、前記予約リストの中に、前記決定手段により決定された前記ユーザ識別情報があると判定された場合、前記決定手段により決定された前記ユーザ識別情報と対応付けられた楽曲を、前記リモコン装置において表示可能に設定し、
前記第２設定手段は、前記第１判定手段により、前記予約リストの中に、前記決定手段により決定された前記ユーザ識別情報があると判定されなかった場合、取得した予約リストが含む設定情報に従って、前記リモコン装置において楽曲の表示または非表示を設定することを特徴請求項４に記載のカラオケシステム。
【請求項６】
前記カラオケ装置は、
前記記憶手段に記憶された予約リストが含む前記設定情報に従って、前記カラオケ装置において、楽曲の表示または非表示を設定する第３設定手段を備えることを特徴とする請求項４または請求項５に記載のカラオケシステム。
【請求項７】
前記リモコン装置は、
前記リモコン装置と通信可能なカラオケ装置に予約する楽曲の識別番号と、楽曲を予約したユーザを示すユーザ識別情報と、予約した楽曲を前記カラオケ装置において非表示にするかまたは表示にするかを示す設定情報とを含む予約要求を、前記カラオケ装置へ送信する第１送信手段と、
前記カラオケ装置へ、前記予約リストを要求する要求手段と、
をさらに備え、
前記カラオケ装置は、
前記リモコン装置により送信された予約要求を受信する受信手段と、
前記受信手段により受信された予約要求に基づいて、受信した前記識別番号と、受信した前記ユーザ識別情報と、受信した前記設定情報とを対応付けて予約リストとして記憶する第２記憶手段と、
前記リモコン装置の要求に従って、前記第２記憶手段に記憶した前記予約リストを、要求元の前記リモコン装置へ送信する第２送信手段と、
を備えることを特徴とする請求項４から請求項６のいずれか一項に記載のカラオケシステム。
【請求項８】
カラオケシステムで利用されるリモコン装置と通信可能なカラオケ装置に予約された楽曲の識別番号と、楽曲を予約したユーザを示すユーザ識別情報と、予約した楽曲を前記カラオケ装置において非表示にするかまたは表示にするかを示す設定情報とが対応付けられた予約リストを取得する取得ステップと、
前記カラオケ装置へ予約した楽曲を、前記リモコン装置へ表示させる表示要求を受け付ける受付ステップと、
前記受付ステップにより表示要求を受け付けたことに応じて、前記予約リストの中に、前記リモコン装置にログイン処理を実行したユーザを識別可能なユーザ識別情報を記憶する記憶手段に記憶された前記ユーザ識別情報がある場合、前記記憶手段に記憶された前記ユーザ識別情報と対応付けられた楽曲を、前記リモコン装置において表示可能に設定する第１設定ステップと、
前記受付ステップにより表示要求を受け付けたことに応じて、前記予約リストの中に前記記憶手段に記憶された前記ユーザ識別情報がない場合、取得した予約リストが含む設定情報に従って、前記リモコン装置において楽曲の表示または非表示を設定する第２設定ステップと、
をリモコン装置のコンピュータに実行させることを特徴とするプログラム。
【請求項９】
カラオケシステムで利用されるリモコン装置と通信可能なカラオケ装置に予約された楽曲の識別番号と、楽曲を予約したユーザを示すユーザ識別情報と、予約した楽曲を前記カラオケ装置において非表示にするかまたは表示にするかを示す設定情報とが対応付けられた予約リストを取得する取得ステップと、
前記カラオケ装置へ予約した楽曲を、前記リモコン装置へ表示させる表示要求を受け付ける受付ステップと、
前記受付ステップにより表示要求を受け付けたことに応じて、前記予約リストの中に、前記リモコン装置にログイン処理を実行したユーザを識別可能なユーザ識別情報を記憶する記憶手段に記憶された前記ユーザ識別情報がある場合、前記記憶手段に記憶された前記ユーザ識別情報と対応付けられた楽曲を、前記リモコン装置において表示可能に設定する第１設定ステップと、
前記受付ステップにより表示要求を受け付けたことに応じて、前記予約リストの中に前記記憶手段に記憶された前記ユーザ識別情報がない場合、取得した予約リストが含む設定情報に従って、前記リモコン装置において楽曲の表示または非表示を設定する第２設定ステップと、
を含む楽曲予約方法。
【発明の詳細な説明】
【技術分野】
【０００１】
本発明は、カラオケシステムのリモコン装置に関する。具体的には、カラオケ装置へ楽曲を予約する予約技術に関する。
【背景技術】
【０００２】
従来、リモコン装置とカラオケ装置とから構成されるカラオケシステムが知られている。一般的には、リモコン装置により選曲処理が実行される。選曲処理が実行された結果、所定の楽曲の予約のリクエストが、カラオケ装置に向けて送信される。カラオケ装置は、予約のリクエストを受信したことに応じて、予約のリクエストが含む楽曲識別番号に基づいて、楽曲の予約を行う。この場合、カラオケ装置と接続されたディスプレイには、現在予約されている楽曲リストが表示される。そして、カラオケ装置は、楽曲の予約に従って、楽曲識別情報が示す楽曲を再生する。
【０００３】
一方で、カラオケにアミューズメント性を持たせるために、特許文献１では、ディスプレイに表示される楽曲リストの中で、所望の楽曲が、非表示にされる技術が開示されている。具体的には、リモコン装置のユーザの要求に従って、楽曲の予約時に、予約される楽曲を非表示にするか否かが決定される。リモコン装置は、決定された要求に従って、カラオケ装置へ向けて、楽曲の予約をリクエストする。カラオケ装置は、予約のリクエストを受信したことに応じて、予約のリクエストが含む楽曲識別番号に基づいて、楽曲の予約を行い、さらに、楽曲の非表示を設定する。また、特許文献２では、楽曲の予約をリクエストしたユーザを示すユーザ識別情報と楽曲とが、カラオケ装置に接続されたディスプレイに表示される。特許文献２では、リモコン装置のユーザの要求に従って、楽曲の予約時に、ユーザ識別情報を非表示にするか否かが決定される。カラオケ装置は、予約のリクエストを受信したことに応じて、予約のリクエストが含むユーザ識別情報に基づいて、楽曲の予約を行い、さらに、ユーザ識別情報の非表示を設定する。
【先行技術文献】
【特許文献】
【０００４】
【特許文献１】特開平１０−７８７８６号公報
【特許文献２】特開２００５−９９２０３号公報
【発明の開示】
【発明が解決しようとする課題】
【０００５】
しかしながら、特許文献１または特許文献２に記載の予約方法では、非表示に設定された楽曲は、予約した本人でさえも、予約後は楽曲またはユーザ識別情報を確認することができない。また、不用意に非表示を解除すると、わざわざ非常時にして予約をした意義が無くなってしまう。
【０００６】
本発明は、以上のことを鑑みてなされたものである。本発明の目的は、楽曲が予約される際に、楽曲またはユーザ識別情報が非表示にされた場合であっても、他のユーザに予約曲が知られることを防ぎ、非表示予約の内容を確認することができるリモコン装置、カラオケシステム、プログラム及び楽曲予約方法を提供することである。
【課題を解決するための手段】
【０００７】
請求項１に記載の発明によれば、カラオケシステムで利用されるリモコン装置にログイン処理を実行したユーザを識別可能なユーザ識別情報を記憶する記憶手段と、前記リモコン装置と通信可能なカラオケ装置に予約された楽曲の識別番号と、楽曲を予約したユーザを示すユーザ識別情報と、予約した楽曲を前記カラオケ装置において非表示にするかまたは表示にするかを示す設定情報とが対応付けられた予約リストを取得する取得手段と、前記カラオケ装置へ予約した楽曲を、前記リモコン装置へ表示させる表示要求を受け付ける受付手段と、前記受付手段により表示要求を受け付けたことに応じて、前記予約リストの中に前記記憶手段に記憶された前記ユーザ識別情報がある場合、前記記憶手段に記憶された前記ユーザ識別情報と対応付けられた楽曲を、前記リモコン装置において表示可能に設定する第１設定手段と、前記受付手段により表示要求を受け付けたことに応じて、前記予約リストの中に前記記憶手段に記憶された前記ユーザ識別情報がない場合、取得した予約リストが含む設定情報に従って、前記リモコン装置において楽曲の表示または非表示を設定する第２設定手段と、を備えることを特徴とするリモコン装置である。
【０００８】
請求項２に記載の発明によれば、前記リモコン装置は、前記リモコン装置にログイン処理を実行したユーザごとに、前記リモコン装置の表示画面に表示される表示情報を切り替え可能であって、前記表示画面に現在表示されている表示情報のユーザを示すユーザ識別情報を決定する決定手段と、前記受付手段により、表示要求が受け付けられた場合、前記予約リストの中に、前記決定手段により決定された前記ユーザ識別情報があるか否かを判定する第１判定手段と、をさら備え、前記第１設定手段は、前記第１判定手段により、前記予約リストの中に、前記決定手段により決定された前記ユーザ識別情報があると判定された場合、前記決定手段により決定された前記ユーザ識別情報と対応付けられた楽曲を、前記リモコン装置において表示可能に設定し、前記第２設定手段は、前記第１判定手段により、前記予約リストの中に、前記決定手段により決定された前記ユーザ識別情報があると判定されなかった場合、取得した予約リストが含む設定情報に従って、前記リモコン装置において楽曲の表示または非表示を設定することを特徴とする。
【０００９】
請求項３に記載の発明によれば、前記リモコン装置は、前記第１設定手段により、前記リモコン装置において前記楽曲識別番号が表示可能に設定されてから所定の時間が経過したかを判定する第２判定手段をさらに備え、前記第２判定手段により、前記リモコン装置において前記楽曲が表示可能に設定されてから所定の時間が経過したと判定された場合、前記第２設定手段は、取得した予約リストが含む設定情報に従って、前記リモコン装置において楽曲の表示または非表示を設定することを特徴とする。
【００１０】
請求項４に記載の発明によれば、カラオケシステムで利用されるリモコン装置にログイン処理を実行したユーザを識別可能なユーザ識別情報を記憶する第１記憶手段と、前記リモコン装置と通信可能なカラオケ装置に予約された楽曲の識別番号と、楽曲を予約したユーザを示すユーザ識別情報と、予約した楽曲を前記カラオケ装置において非表示にするかまたは表示にするかを示す設定情報とが対応付けられた予約リストを取得する取得手段と、前記カラオケ装置へ予約した楽曲を、前記リモコン装置へ表示させる表示要求を受け付ける受付手段と、前記受付手段により表示要求を受け付けたことに応じて、前記予約リストの中に前記第１記憶手段に記憶された前記ユーザ識別情報がある場合、前記第１記憶手段に記憶された前記ユーザ識別情報と対応付けられた楽曲を、前記リモコン装置において表示可能に設定する第１設定手段と、前記受付手段により表示要求を受け付けたことに応じて、前記予約リストの中に前記第１記憶手段に記憶された前記ユーザ識別情報がない場合、取得した予約リストが含む設定情報に従って、前記リモコン装置において楽曲の表示または非表示を設定する第２設定手段と、を備えるリモコン装置を含むことを特徴とするカラオケシステムである。
【００１１】
請求項５に記載の発明によれば、前記リモコン装置は、前記リモコン装置にログイン処理を実行したユーザごとに、前記リモコン装置の表示画面に表示される表示情報を切り替え可能であって、前記表示画面に現在表示されている表示情報のユーザを示すユーザ識別情報を決定する決定手段と、前記受付手段により、表示要求が受け付けられた場合、前記予約リストの中に、前記決定手段により決定された前記ユーザ識別情報があるか否かを判定する第１判定手段と、をさら備え、前記第１設定手段は、前記第１判定手段により、前記予約リストの中に、前記決定手段により決定された前記ユーザ識別情報があると判定された場合、前記決定手段により決定された前記ユーザ識別情報と対応付けられた楽曲を、前記リモコン装置において表示可能に設定し、前記第２設定手段は、前記第１判定手段により、前記予約リストの中に、前記決定手段により決定された前記ユーザ識別情報があると判定されなかった場合、取得した予約リストが含む設定情報に従って、前記リモコン装置において楽曲の表示または非表示を設定することを特徴とする。
【００１２】
請求項６に記載の発明によれば、前記カラオケ装置は、前記記憶手段に記憶された予約リストが含む前記設定情報に従って、前記カラオケ装置において、楽曲の表示または非表示を設定する第３設定手段を備えることを特徴とする。
【００１３】
請求項７に記載の発明によれば、前記リモコン装置は、前記リモコン装置と通信可能なカラオケ装置に予約する楽曲の識別番号と、楽曲を予約したユーザを示すユーザ識別情報と、予約した楽曲を前記カラオケ装置において非表示にするかまたは表示にするかを示す設定情報とを含む予約要求を、前記カラオケ装置へ送信する第１送信手段と、前記カラオケ装置へ、前記予約リストを要求する要求手段と、さらに備え、前記カラオケ装置は、前記リモコン装置により送信された予約要求を受信する受信手段と、前記受信手段により受信された予約要求に基づいて、受信した前記識別番号と、受信した前記ユーザ識別情報と、受信した前記設定情報とを対応付けて予約リストとして記憶する第２記憶手段と、前記リモコン装置の要求に従って、前記第２記憶手段に記憶した前記予約リストを、要求元の前記リモコン装置へ送信する第２送信手段と、を備えることを特徴とする。
【００１４】
請求項８に記載の発明によれば、カラオケシステムで利用されるリモコン装置と通信可能なカラオケ装置に予約された楽曲の識別番号と、楽曲を予約したユーザを示すユーザ識別情報と、予約した楽曲を前記カラオケ装置において非表示にするかまたは表示にするかを示す設定情報とが対応付けられた予約リストを取得する取得ステップと、前記カラオケ装置へ予約した楽曲を、前記リモコン装置へ表示させる表示要求を受け付ける受付ステップと、前記受付ステップにより表示要求を受け付けたことに応じて、前記予約リストの中に、前記リモコン装置にログイン処理を実行したユーザを識別可能なユーザ識別情報を記憶する記憶手段に記憶された前記ユーザ識別情報がある場合、前記記憶手段に記憶された前記ユーザ識別情報と対応付けられた楽曲を、前記リモコン装置において表示可能に設定する第１設定ステップと、前記受付ステップにより表示要求を受け付けたことに応じて、前記予約リストの中に前記記憶手段に記憶された前記ユーザ識別情報がない場合、取得した予約リストが含む設定情報に従って、前記リモコン装置において楽曲の表示または非表示を設定する第２設定ステップと、をリモコン装置のコンピュータに実行させることを特徴とするプログラムである。
【００１５】
請求項９に記載の発明によれば、カラオケシステムで利用されるリモコン装置と通信可能なカラオケ装置に予約された楽曲の識別番号と、楽曲を予約したユーザを示すユーザ識別情報と、予約した楽曲を前記カラオケ装置において非表示にするかまたは表示にするかを示す設定情報とが対応付けられた予約リストを取得する取得ステップと、前記カラオケ装置へ予約した楽曲を、前記リモコン装置へ表示させる表示要求を受け付ける受付ステップと、前記受付ステップにより表示要求を受け付けたことに応じて、前記予約リストの中に、前記リモコン装置にログイン処理を実行したユーザを識別可能なユーザ識別情報を記憶する記憶手段に記憶された前記ユーザ識別情報がある場合、前記記憶手段に記憶された前記ユーザ識別情報と対応付けられた楽曲を、前記リモコン装置において表示可能に設定する第１設定ステップと、前記受付ステップにより表示要求を受け付けたことに応じて、前記予約リストの中に前記記憶手段に記憶された前記ユーザ識別情報がない場合、取得した予約リストが含む設定情報に従って、前記リモコン装置において楽曲の表示または非表示を設定する第２設定ステップと、を含む楽曲予約方法である。
【発明の効果】
【００１６】
請求項１に記載の発明によれば、第１設定手段は、受付手段により表示要求を受け付けたことに応じて、予約リストの中に記憶手段に記憶されたユーザ識別情報がある場合、記憶手段に記憶されたユーザ識別情報と対応付けられた楽曲を、リモコン装置において表示可能に設定する。第２設定手段は、受付手段により表示要求を受け付けたことに応じて、予約リストの中に記憶手段に記憶されたユーザ識別情報がない場合、取得した予約リストが含む設定情報に従って、リモコン装置において楽曲の表示または非表示を設定する。従って、楽曲が予約される際に、楽曲またはユーザ識別情報が非表示にされた場合であっても、リモコン装置にログインしているユーザのみに楽曲の非表示を解除し、他のユーザに予約曲が知られることを防ぐことができる。この結果、他のユーザに予約曲が知られることを防ぎ、非表示予約の内容を確認することができる。
【００１７】
請求項２に記載の発明によれば、決定手段は、リモコン装置にログイン処理を実行したユーザごとに、リモコン装置の表示画面に表示される表示情報を切り替え可能であって、表示画面に現在表示されている表示情報のユーザを示すユーザ識別情報を決定する。第１設定手段は、第１判定手段により、予約リストの中に、決定手段により決定されたユーザ識別情報があると判定された場合、決定手段により決定されたユーザ識別情報と対応付けられた楽曲を、リモコン装置において表示可能に設定する。第２設定手段は、第１判定手段により、予約リストの中に、決定手段により決定されたユーザ識別情報があると判定されなかった場合、取得した予約リストが含む設定情報に従って、リモコン装置において楽曲の表示または非表示を設定する。従って、楽曲が予約される際に、楽曲またはユーザ識別情報が非表示にされた場合であっても、現在リモコン装置の表示画面で情報を閲覧可能なユーザのみに楽曲の非表示を解除し、他のユーザに予約曲が知られることを防ぐことができる。この結果、他のユーザに予約曲が知られることを防ぎ、非表示予約の内容を確認することができる。
【００１８】
請求項３に記載の発明によれば、第２判定手段により、リモコン装置において楽曲識別番号が表示可能に設定されてから所定の時間が経過したと判定された場合、第２設定手段は、取得した予約リストが含む設定情報に従って、リモコン装置において楽曲の表示または非表示を設定する。従って、リモコン装置にログインしているユーザのみに楽曲の非表示を一時的に解除し、一定期間経過した場合、再度、非常時の設定に変更することが可能である。この結果、非表示を一時的に解除することで、他のユーザに予約曲が知られることを防ぎ、非表示予約の内容を確認することができる。
【００１９】
請求項４に記載の発明によれば、第１設定手段は、受付手段により表示要求を受け付けたことに応じて、予約リストの中に記憶手段に記憶されたユーザ識別情報がある場合、記憶手段に記憶されたユーザ識別情報と対応付けられた楽曲を、リモコン装置において表示可能に設定する。第２設定手段は、受付手段により表示要求を受け付けたことに応じて、予約リストの中に記憶手段に記憶されたユーザ識別情報がない場合、取得した予約リストが含む設定情報に従って、リモコン装置において楽曲の表示または非表示を設定する。従って、楽曲が予約される際に、楽曲またはユーザ識別情報が非表示にされた場合であっても、リモコン装置にログインしているユーザのみに楽曲の非表示を解除し、他のユーザに予約曲が知られることを防ぐことができる。この結果、他のユーザに予約曲が知られることを防ぎ、非表示予約の内容を確認することができる。
【００２０】
請求項５に記載の発明によれば、決定手段は、リモコン装置にログイン処理を実行したユーザごとに、リモコン装置の表示画面に表示される表示情報を切り替え可能であって、表示画面に現在表示されている表示情報のユーザを示すユーザ識別情報を決定する。第１設定手段は、第１判定手段により、予約リストの中に、決定手段により決定されたユーザ識別情報があると判定された場合、決定手段により決定されたユーザ識別情報と対応付けられた楽曲を、リモコン装置において表示可能に設定する。第２設定手段は、第１判定手段により、予約リストの中に、決定手段により決定されたユーザ識別情報があると判定されなかった場合、取得した予約リストが含む設定情報に従って、リモコン装置において楽曲の表示または非表示を設定する。従って、楽曲が予約される際に、楽曲またはユーザ識別情報が非表示にされた場合であっても、現在リモコン装置の表示画面で情報を閲覧可能なユーザのみに楽曲の非表示を解除し、他のユーザに予約曲が知られることを防ぐことができる。この結果、他のユーザに予約曲が知られることを防ぎ、非表示予約の内容を確認することができる。
【００２１】
請求項６に記載の発明によれば、カラオケ装置は、記憶手段に記憶された予約リストが含む設定情報に従って、カラオケ装置において、楽曲の表示または非表示を設定する第３設定手段を備える。従って、楽曲が予約される際に、楽曲またはユーザ識別情報が非表示にされた場合であっても、カラオケ装置においては楽曲の非表示が維持され、リモコン装置にログインしているユーザのみに楽曲の非表示を解除することができる。この結果、カラオケ装置において、他のユーザに予約曲が知られることを防ぎ、リモコン装置において非表示予約の内容を確認することができる。
【００２２】
請求項７に記載の発明によれば、リモコン装置は、リモコン装置と通信可能なカラオケ装置に予約する楽曲の識別番号と、楽曲を予約したユーザを示すユーザ識別情報と、予約した楽曲を前記カラオケ装置において非表示にするかまたは表示にするかを示す設定情報とを含む予約要求を、前記カラオケ装置へ送信する第１送信手段を備える。また、リモコン装置は、カラオケ装置へ、予約リストを要求する要求手段を備える。カラオケ装置は、リモコン装置により送信された予約要求を受信する受信手段を備える。また、カラオケ装置は、リモコン装置の要求に従って、受信手段により受信された予約要求に基づいて、受信した前記識別番号と、受信した前記ユーザ識別情報と、受信した前記設定情報とを対応付けて予約リストとして記憶する第２記憶手段に記憶した予約リストを、要求元のリモコン装置へ送信する第２送信手段を備える。この結果、リモコン装置とカラオケ装置との間で予約リストを送受信することで、リモコン装置において、他のユーザに予約曲が知られることを防ぎながら、非表示予約の内容を確認することができる。
【００２３】
請求項８または請求項９に記載の発明によれば、第１設定ステップは、受付ステップにより表示要求を受け付けたことに応じて、予約リストの中に記憶手段に記憶されたユーザ識別情報がある場合、記憶手段に記憶されたユーザ識別情報と対応付けられた楽曲を、リモコン装置において表示可能に設定する。第２設定ステップは、受付ステップにより表示要求を受け付けたことに応じて、予約リストの中に記憶手段に記憶されたユーザ識別情報がない場合、取得した予約リストが含む設定情報に従って、リモコン装置において楽曲の表示または非表示を設定する。従って、楽曲が予約される際に、楽曲またはユーザ識別情報が非表示にされた場合であっても、リモコン装置にログインしているユーザのみに楽曲の非表示を解除し、他のユーザに予約曲が知られることを防ぐことができる。この結果、他のユーザに予約曲が知られることを防ぎ、非表示予約の内容を確認することができる。
【図面の簡単な説明】
【００２４】
【図１】本実施形態のカラオケシステムＳの概要構成図である。
【図２】本実施形態の携帯端末装置Ｋ１とコマンダ２とのくくり付け方法を示す概念図である。
【図３】本実施形態の隠し予約設定時のリモコン１のディスプレイの画面遷移を示す図である。
【図４】本実施形態のコマンダ２に外部接続されたディスプレイ、または、コマンダ２に備えられたディスプレイに予約リストが表示される表示態様を示す説明図である。
【図５】本実施形態のリモコン１のディスプレイに予約リストが表示される表示態様を示す説明図である。
【図６】本実施形態のリモコン１、コマンダ２、センターサーバ３、及び、携帯端末装置Ｋ１の電気的構成の概念図である。
【図７】本実施形態の予約リストのデータ構造を示す概念図である。
【図８】本実施形態のリモコン１のメイン動作を示すフローチャートである。
【図９】本実施形態の予約リスト表示処理を示すフローチャートである。
【図１０】本実施形態のコマンダ２のメイン動作を示すフローチャートである。
【発明を実施するための最良の形態】
【００２５】
［最良の実施形態］
以下、図面に沿って、本発明を適用した最良の実施形態について説明する。
【００２６】
［１．カラオケシステムの構成及び動作の概要］
始めに、図１を参照して、本実施形態のカラオケシステムの構成の概要について説明する。図１は、本実施形態のカラオケシステムＳの構成を表す図である。なお、図１は、カラオケ店舗ＫＳの中に設置された複数のカラオケルームの中で、カラオケルームＫＲを１室示した例を用いている。また、図１の例では、カラオケルームＫＲに、リモコン１及びコマンダ２が夫々１台ずつ設置されている。なお、カラオケルームＫＲに、リモコン１は複数台設置されても良い。一般的にカラオケ店舗ＫＳには、複数のカラオケルームＫＲが設定されている。なお、本実施形態のコマンダ２は、本発明のカラオケ装置の一例である。
【００２７】
図１に示すように、カラオケシステムＳは、リモコン１と、コマンダ２と、センターサーバ３を含んで構成される。リモコン１は、カラオケ曲の選曲または検索に用いられる選曲装置である。リモコン１は、カラオケ店舗ＫＳに備えられたアクセスポイントＡＰ及びブロードバンドルータＢＲを介して、無線通信によりネットワークに接続される。これにより、リモコン１は、ネットワークを介してコマンダ２及びセンターサーバ３と通信が可能になる。リモコン１は、赤外線によりコマンダ２へ、カラオケ曲の予約を依頼する。リモコン１には、リモコンＩＤが付与されている。リモコンＩＤは、リモコン１を識別するための識別情報である。リモコンＩＤは、リモコン１を一意に特定できる情報であれば、どのような情報であってもよいが、例えばリモコン１に割り当てられたＩＰアドレスがリモコンＩＤとされても良い。
【００２８】
コマンダ２は、リモコン１により依頼された予約に基づいて、カラオケ曲の再生処理を行う。コマンダには、夫々コマンダＩＤが付与される。コマンダＩＤは、コマンダを夫々識別するための情報である。コマンダＩＤは、コマンダ２を一意に特定できる情報であれば、どのような情報であってもよいが、例えばコマンダ２に割り当てられたＩＰアドレスがコマンダＩＤとされる。
【００２９】
本実施形態では、ユーザが個人で所有する携帯端末装置から、カラオケ曲の予約を、コマンダへ依頼することが可能である。図１に示すように、ユーザＹ１〜Ｙ３が夫々所有する携帯端末装置Ｋ１〜Ｋ３を用いて、コマンダ２へカラオケ曲の予約を依頼することができる。この場合、携帯端末装置Ｋ１〜Ｋ３は、例えば、携帯基地局Ｃを介してネットワークへ接続可能になっている。
【００３０】
センターサーバ３は、カラオケ店舗ＫＳに設置されたコマンダとリモコンとのくくり付け情報を記憶する。また、センターサーバ３は、カラオケ店舗ＫＳに設置されたコマンダと携帯端末装置とのくくり付け情報を記憶する。なお、くくり付け情報の詳細は後述する。センターサーバ３は、くくり付け情報に基づいて、リモコン１から送信された予約依頼を、リモコン１とくくり付けられたコマンダ２へ送信する。また、センターサーバ３は、くくり付け情報に基づいて、携帯端末装置Ｋ１〜Ｋ３から送信された予約依頼を、携帯端末装置Ｋ１〜Ｋ３とくくり付けられたコマンダ２へ送信する。なお、本実施形態のリモコン１と携帯端末装置Ｋ１〜Ｋ３は、本発明のリモコン装置の一例である。
【００３１】
［２．携帯端末装置Ｋ１とコマンダ２とのくくり付け方法］
以下、図２を用いて、本実施形態の携帯端末装置Ｋ１とコマンダ２とのくくり付け方法について説明する。図２は、本実施形態の携帯端末装置Ｋ１とコマンダ２とのくくり付け方法を示す概念図である。図２に示す例では、センターサーバ３は、コマンダ２のコマンダＩＤと、コマンダ２とくくり付けられたリモコン１のリモコンＩＤとを対応付けて記憶している。これにより、センターサーバ３は、コマンダ２がくくり付けられているリモコンが、リモコン１であることを把握することができる。
【００３２】
まず、リモコン１は、ログイン処理を実行する（図２：（１））。図２（１）の処理では、リモコン１のユーザＹ１が、リモコン１を用いてユーザ識別情報を入力する。入力した結果、リモコン１は、ログイン処理を実行する。そして、リモコン１は、ログイン処理時に入力されたユーザ識別情報と、ユーザ識別情報を送信したリモコン１のリモコンＩＤとを、センターサーバ３へ送信する（図２：（２））。
【００３３】
センターサーバ３は、リモコン１からユーザ識別情報を受信すると、ユーザ識別情報を送信したリモコン１とくくりつけられたコマンダ２を決定する。具体的には、ユーザ識別情報を送信したリモコン１と通信可能なコマンダ２を決定する。本実施形態では、センターサーバ３は、カラオケシステムで使用されるリモコン１のリモコンＩＤと、そのリモコン１と通信可能なコマンダ２のコマンダＩＤとを対応付けて記憶している。このため、ユーザ識別情報を送信したリモコン１のリモコンＩＤと対応付けられたコマンダＩＤを決定する。そして、センターサーバ３は、コマンダＩＤと対応付けて、受信したユーザ識別情報を記憶する（図２（３））。
【００３４】
次に、ユーザＹ１は、携帯端末装置Ｋ１を用いてコマンダ２へ指令を送信するために、携帯端末装置Ｋ１を用いて、ユーザ識別情報を入力する。そして、入力されたユーザ識別情報が、携帯端末装置Ｋ１からセンターサーバ３へ送信される（図２：（４））。そして、センターサーバ３は、携帯端末装置Ｋ１からユーザ識別情報を受信すると、受信するユーザ識別情報と対応付けられたコマンダＩＤを決定する。このように決定されたコマンダＩＤが示すコマンダ２が、携帯端末装置Ｋ１と通信可能なコマンダとして決定される。センターサーバ３は、携帯端末装置Ｋ１からコマンダ２に向けての指令として、例えば、楽曲を予約するための楽曲識別情報を受信した場合、このように決定されたコマンダＩＤのコマンダ２に向けて、受信した楽曲識別情報を転送する。従って、携帯端末装置Ｋ１により、コマンダ２へ楽曲予約を代表とする各種指令を送信することが可能になる。これにより、携帯端末装置Ｋ１が、コマンダ２に対して、リモコン１と同様の処理を実行可能になる。
【００３５】
［３．隠し予約設定］
以下、図３〜図５を参照して、本実施形態の隠し予約設定について説明する。図３は、本実施形態の隠し予約設定時のリモコン１の表示部の画面遷移を示す図である。まず、図３（ａ）を用いて、リモコン１のログイン処理、及び、アクティブユーザについて説明する。図３（ａ）は、リモコン１を用いて楽曲の予約を行う際の表示画面である。本実施形態では、図３（ａ）に示すように、リモコン１のディスプレイ１４には、リモコン１を用いてログインされたユーザのユーザ画像Ａ１、Ａ２、Ａ３及びＡ４が表示される。本実施形態では、リモコン１によるログイン処理が完了すると、リモコン１のディスプレイ１４には、ログインしたユーザが、例えば、アバターを用いて、ユーザ画像Ａ１、Ａ２、Ａ３及びＡ４として表示される。具体的には、ログインしたときに用いられたユーザ識別情報と対応付けられたユーザ画像が、リモコン１のディスプレイ１４に表示される。
【００３６】
また、本実施形態では、さらに、リモコン１へログインしたユーザの中から、リモコン１を利用しているユーザが識別可能になっている。本実施形態では、リモコン１へログインしたユーザの中から、リモコン１を利用しているユーザを、以下、「アクティブユーザ」と呼ぶ。図３（ａ）の例では、ユーザ画像Ａ１の周辺に枠が表示されている。この枠に囲まれたユーザ画像Ａ１が示すユーザが、アクティブユーザとなる。本実施形態のリモコン１のディスプレイ１４は、タッチパネルである。このため、ユーザ画像Ａ１〜Ａ４のいずれかが、接触されることで、接触されたユーザ画像と対応するユーザへ、アクティブユーザを切り替えることが可能である。
例えば、ユーザ画像Ａ２が、接触された場合、接触されたユーザ画像Ａ２に枠が表示されることで、アクティブユーザを切り替えることができる。アクティブユーザが切り替えられることで、リモコン１にログインしている各ユーザごとの設定を用いて、リモコン１を操作することができる。
【００３７】
次に、図３（ｂ）では、隠し予約設定の有効、または、無効が設定される。図３（ｂ）は、ユーザＡ１がアクティブユーザであり、且つ、予約設定を行う際に、表示画面に表示される設定画面の一例である。リモコン１では予約設定を行う際に、隠し予約設定の有効（図３（ｂ）のＯＮ）、または、無効（図３（ｂ）のＯＦＦ）が設定される。図３（ｂ）の例は、隠し予約設定が有効（図３（ｂ）のＯＮ）にされた例である。隠し予約設定が有効（図３（ｂ）のＯＮ）にされると、予約された楽曲が隠されて表示されることになる。そして、隠し予約設定が設定された後に、図３（ｃ）に示すように、楽曲の予約処理が実行される。楽曲の予約処理は、リモコン１で設定された予約内容が、コマンダ２へ送信されて、楽曲の歌唱を予約する処理である。図３（ｂ）で、隠し予約設定が有効にされていた場合、隠し予約設定が有効であることを示す情報が、リモコン１からコマンダ２へ通知されることになる。楽曲の予約処理が完了すると、図３（ｃ）に示す予約処理が完了した旨のメッセージが、リモコン１のディスプレイ１４に表示されることになる。
【００３８】
次に、図４及び図５を参照して、隠し予約が設定された場合の予約リストの表示方法について説明する。コマンダ２は、リモコン１により実行された楽曲の予約を受け付けると、予約リストとして予約状況を管理する。図４（ａ）は、本実施形態におけるコマンダ２に外部接続されたディスプレイに、予約リストが表示される表示態様を示す説明図である。また、図４（ｂ）は、本実施形態におけるコマンダ２に備えられたディスプレイに、予約リストが表示される表示態様を示す説明図である。
【００３９】
図４（ａ）に示すように、コマンダ２に外部接続されたディスプレイに、予約リストが表示される際、予約した楽曲名と、ユーザ画像とが対応付けられて表示される。図４（ａ）の例では、１曲目の予約として、ユーザ画像Ａ４と、楽曲名「ちりぬるを」とが対応付けられて表示される。また、２曲目の予約として、リモコン１にログインしていないゲストユーザを示す画像「ゲスト」と、楽曲名「いろはにほへと」とが対応付けられて表示される。３曲目の予約として、ユーザ画像Ａ１と、「□□□□□」とが対応付けられて表示される。なお、「□□□□□」は、予約した楽曲名がディスプレイに「□□□□□」と表示されることを表す。このように、楽曲名とは異なる文字または図形または画像を用いて、楽曲名が非表示にされても良い。なお、楽曲名が識別できない情報であれば、特に限定されない。楽曲名にマスク処理等が施されて、ディスプレイに表示されても良い。また、楽曲名がディスプレイに表示されず、ユーザ画像Ａ１だけが、ディスプレイに表示されても良い。また、楽曲名の一部が非表示となるように設定されても良い。また、非表示と設定された楽曲名の表示が、隠し予約が設定されていない通常の表示よりも、ユーザに見えづらい色を用いてディスプレイに表示されても良い。例えば、ディスプレイの明度または彩度または色相の少なくともいずれかが調整されることで、ユーザに見えづらい色を用いてディスプレイに表示されても良い。このように、楽曲名がディスプレイに表示されないことで、コマンダ２を用いて歌唱するユーザ間で、次の予約が分らず、アミューズメント性を持たせてカラオケを楽しむことができる。図４（ｂ）でも同様に、図４（ａ）に示す同じ表示情報が、コマンダ２に備えられたディスプレイに表示される。
【００４０】
図５は、本実施形態のリモコン１のディスプレイ１４に予約リストが表示される状態を示す説明図である。図５（ａ）は、リモコン１において、ユーザ画像Ａ４のユーザがアクティブユーザの場合に予約リストが表示される表示態様を示す説明図である。図５（ｂ）は、リモコン１において、ユーザ画像Ａ１のユーザがアクティブユーザの場合に予約リストが表示される表示態様を示す説明図である。
【００４１】
図４で説明したように３曲目の予約が隠し予約が有効に設定され、図５（ａ）に示すように、アクティブユーザが、ユーザ画像Ａ４のユーザの場合、リモコン１のディスプレイ１４には、図５（ａ）に示すように、隠し予約として３曲目が「□□□□□」で表示される。一方、図５（ｂ）は、アクティブユーザが、ユーザ画像Ａ１のユーザである。このため、３曲目の隠し予約を有効に設定して予約処理を依頼したユーザと、リモコン１のアクティブユーザとが一致することになる。この場合、図５（ｂ）に示すように、３曲目の楽曲が「□□□□□」のような非表示ではなく、実際の曲名である「あいうえお」が表示されることになる。このように、アクティブユーザと、隠し予約を有効に設定したユーザとが一致する予約曲については、リモコン１は、隠し予約が有効に設定されていた場合であっても、一致する予約曲の曲名を表示される。従って、楽曲が予約される際に、隠し予約が有効に設定された場合であっても、現在リモコン１の表示画面で情報を閲覧可能なユーザのみに楽曲の非表示を解除することができる。この結果、他のユーザに予約曲が知られることを防ぎ、隠し予約の内容を確認することができる。
【００４２】
［４．電気的構成概要］
図６は、本実施形態のカラオケシステムＳを構成するリモコン１、コマンダ２及びセンターサーバ３と、携帯端末装置Ｋ１の電気的構成を説明する説明図である。図６に示すように、カラオケシステムＳは、リモコン１と、コマンダ２と、センターサーバ３とから構成される。
【００４３】
［４．１  コマンダ２の電気的構成］
図６に示すように、コマンダ２は、制御部２１と、ＬＡＮインターフェース部２２と、記憶部２３と、操作処理部２６と、シンセサイザ２７と、ビデオＲＡＭ３１と、映像再生部３２と、映像制御部３３とを備える。
【００４４】
制御部２１は、ＬＡＮインターフェース部２２と、記憶部２３と、操作処理部２６と、シンセサイザ２７と、ビデオＲＡＭ３１と、映像再生部３２と、映像制御部３３と電気的に接続される。制御部２１は、コマンダ２の各種構成を制御する。制御部２１は、例えば、ＣＰＵ及びＲＡＭ等から構成されるコントローラである。
【００４５】
ＬＡＮインターフェース部２２は、コマンダ２とネットワークと接続する。ＬＡＮインターフェース部２２により、コマンダ２は、ブロードバンドルータＢＲまたはアクセスポイントＡＰを介してインターネット、リモコン１、センターサーバ３及び携帯端末装置と通信可能になる。
【００４６】
操作処理部２６は、操作部２４と、赤外線受信部２５と電気的に接続される。操作部２４は、コマンダ２のユーザにより操作される。操作部２４により操作され、入力された信号が操作処理部２６に出力される。また、赤外線受信部２５は、リモコン１により送信された赤外線を受信する。受信された赤外線の信号は、操作処理部２６に出力される。操作処理部２６は、出力された夫々の信号にも基づいて、操作内容を決定する。決定された操作内容に基づいて、制御部２１は、コマンダ２を制御する。
【００４７】
記憶部２３は、コマンダ２で出力する楽曲データ及び映像データを記憶する。また、記憶部２３、コマンダ２に付与されたコマンダＩＤを記憶する。また、記憶部２３は、予約リスト記憶領域２３１を含む。記憶部２３は、例えば、ＨａｒｄＤｉｓｋ（ＨＤ）等の高容量の記憶媒体である。操作処理部２６により決定された操作内容に基づいて、記憶部２３に記憶された楽曲データまたは映像データが制御部２１により読み出される。そして、記憶部２３に記憶された映像データに従って、制御部２１は、ビデオＲＡＭ３１または映像再生部３２または映像制御部３３に、映像を出力させる指令を送信する。予約リスト記憶領域２３１は、リモコン１または携帯端末装置Ｋ１から予約が依頼された楽曲をリストとして記憶する。予約リストは、予約依頼が含む楽曲識別情報と、ユーザ識別情報と、隠し予約の設定情報とを含む。図７は、本実施形態の予約リストのデータ構造を示す概念図である。図７に示すように、予約リストは、待ち行列番号と対応付けて、上述した楽曲識別情報、ユーザ識別情報、及び、設定情報とを対応付けて記憶する。待ち行列番号は、コマンダ２に予約された予約曲の数を示す。言い換えれば、待ち行列番号は、コマンダ２に楽曲が予約されて、現在再生を待っている曲数を示す。コマンダ２に楽曲が予約されるに従って、待ち行列番号が、予約された楽曲識別情報、ユーザ識別情報及び設定情報に付与されて、予約リスト記憶領域２３１に記憶される。また、記憶部２３は、ユーザ識別情報と対応付けて、ユーザ画像を記憶している。本実施形態の予約リスト記憶領域２３１は、本発明の第２記憶手段の一例である。
【００４８】
図６に示すように、制御部２１は、ビデオＲＡＭ３１と映像再生部３２と、映像制御部３３とに電気的に接続される。また、映像制御部３３は、ディスプレイ３４と電気的に接続される。なお、本実施形態では、コマンダ２の外部に設置されたディスプレイ３４と電気的に接続される。ビデオＲＡＭ３１は、読み出された映像データを一時記憶する。制御部２１により出力される指令に従って、映像再生部３２は、ビデオＲＡＭ３１に一時記憶された映像データを、ディスプレイ３４に出力させる信号に変換する。変換された信号は、映像制御部３３に送信される。制御部２１により送信された指令に従って、映像制御部３３は、ディスプレイ３４に映像を表示させる指令を送信する。映像制御部３３は、映像再生部３２により送信された信号に基づいて、ディスプレイ３４に所定の映像を表示させる。ディスプレイ３４は、情報の表示機能を備えた構成であれば良い。
【００４９】
また、記憶部２３に記憶された楽曲データに従って、制御部２１は楽曲データを出力させる指令を、シンセサイザ２７に送信する。そして、制御部２１により送信された指令に従って、シンセサイザ２７は、楽曲データに基づいて音信号を生成する。音信号は、ミキシングアンプ３０を介してスピーカ２９により音を出力させるための信号である。図６に示すように、シンセサイザ２７は、ミキシングアンプ３０と電気的に接続される。また、ミキシングアンプ３０は、マイク制御部２８とスピーカ２９とに電気的に接続される。スピーカ２９は、コマンダ２の外部に設置されても良い。
【００５０】
マイク制御部２８は、図示しないマイクと接続される。マイクにより入力された情報に基づいて、マイク制御部２８は、音声信号を生成する。マイク制御部２８は、生成された音声信号をミキシングアンプ３０に出力する。マイク制御部２８により送信された音声信号またはシンセサイザ２７により送信された音信号に基づいて、ミキシングアンプ３０は、マイクにより入力された音声または楽曲データの音をスピーカ２９により出力させる。マイク制御部２８により送信された音声信号とシンセサイザ２７により送信された音信号との両方が、ミキシングアンプ３０に送信された場合、ミキシングアンプ３０は、マイクにより入力された音声と楽曲データの音とを合成してスピーカ２９により出力させる。
【００５１】
［４．２  リモコン１の電気的構成］
図６に示すように、リモコン１は、制御部１１と、赤外線送信部１２と、メモリ１３と、操作処理部１６と、ビデオＲＡＭ１７と、映像制御部１８と、無線ＬＡＮ通信部１９とを備える。制御部１１は、赤外線送信部１２と、メモリ１３と、操作処理部１６と、ビデオＲＡＭ１７と、映像制御部１８と、無線ＬＡＮ通信部１９と電気的に接続される。制御部１１は、リモコン１の各種構成を制御する。制御部１１は、例えば、ＣＰＵ及びＲＡＭ等から構成されるコントローラである。このため、リモコン１の制御部１１は、本発明のコンピュータとして機能する。
【００５２】
操作処理部１６は、操作部１５と電気的に接続される。操作部１５は、リモコン１のユーザにより操作される。操作部１５は、例えば、タッチパネルである。タッチパネルにより入力された位置情報が操作処理部１６に出力される。操作処理部１６は、入力された位置情報に基づいて操作内容を決定する。決定された操作内容が、制御部１１に出力される。
【００５３】
赤外線送信部１２は、コマンダ２に向けて赤外線を送信する。具体的には、操作処理部１６により決定された操作内容が、赤外線送信部１２によりコマンダ２に向けて送信される。リモコン１の操作部１５がユーザにより操作されることで、所定の操作信号が、リモコン１からコマンダ２に送信される。例えば、リモコン１を操作することで、カラオケの楽曲が予約される。そのため、リモコン１から、予約されたカラオケの楽曲を示す操作信号がコマンダ２に送信される。コマンダ２は、操作信号を受信すると、操作信号が含む楽曲を予約楽曲として制御部１１のＲＡＭ等に一時記憶する。
【００５４】
メモリ１３は、検索データ及び映像データを記憶する。本実施形態では、メモリ１３は、ログイン情報記憶領域１３１と、予約リスト記憶領域１３２と、アクティブ情報記憶領域１３３と、リモコンプログラム記憶領域１３４とを含む。ログイン情報記憶領域１３１は、リモコン１にログインしているユーザを識別するユーザ識別情報を記憶する。リモコン１にユーザがログインしている場合、ログインしているユーザを示すユーザ識別情報が、ログイン情報記憶領域１３１に記憶される。なお、本実施形態のログイン情報記憶領域１３１は、本発明の記憶手段または第１記憶手段の一例である。予約リスト記憶領域１３２は、コマンダ２から取得した予約リストを記憶する。具体的には、コマンダ２の予約リスト記憶領域２３１に記憶された予約リストが、リモコン１により取得されて、リモコン１の予約リスト記憶領域１３２に記憶される。
【００５５】
アクティブ情報記憶領域１３３は、リモコン１のアクティブユーザを示すユーザ識別情報を記憶する。アクティブユーザが切り替えられるたびに、アクティブ情報記憶領域１３３に記憶されるユーザ識別情報が更新される。なお、本実施形態のアクティブ情報記憶領域１３３は、本発明の記憶手段または第１記憶手段の一例である。
【００５６】
リモコンプログラム記憶領域１３４は、リモコン１のプログラムが記憶される。リモコン１のプログラムは、リモコン１を制御するプログラムである。なお、リモコン１のプログラムは、例えば、ネットワーク上の所定のサーバからダウンロードされるようにしてもよいし、例えば、ＣＤ−ＲＯＭ等の記録媒体に記録されて記録媒体のドライブを介して読み込まれるようにしても良い。
【００５７】
メモリ１３は、例えば、不揮発性のＮＡＮＤ型のメモリである。メモリ１３に記憶される検索データは、カラオケシステムＳで配信される楽曲データを検索する情報である。検索データは、例えば、カラオケの電子早見本である。また、メモリ１３に記憶される映像データは、ディスプレイ１４により映像を表示させるための情報である。操作処理部１６により決定された操作内容に基づいて、メモリ１３に記憶された映像データが制御部１１により読み出される。そして、メモリ１３に記憶された映像データに従って、制御部１１は、ビデオＲＡＭ１７または映像制御部１８に、映像を出力させる指令を送信する。図６に示すように、制御部１１は、ビデオＲＡＭ１７と映像制御部１８とに電気的に接続される。また、映像制御部１８は、ディスプレイ１４と電気的に接続される。ビデオＲＡＭ１７は、読み出された映像データを一時記憶する。制御部１１により出力される指令に従って、映像制御部１８は、ビデオＲＡＭ１７に一時記憶された映像データを、ディスプレイ１４に出力させる信号に変換する。映像制御部１８は、変換した信号をディスプレイ１４に表示させる指令を送信する。映像制御部１８は、変換した信号に基づいて、ディスプレイ１４に所定の映像を表示させる。ディスプレイ１４は、情報の表示機能を備えた構成であれば良い。
【００５８】
無線ＬＡＮ通信部１９は、各カラオケ店舗等に設置されたアクセスポイントＡＰに接続される。無線ＬＡＮ通信部１９は、例えば、公知の無線チップである。アクセスポイントＡＰは、例えば、無線ＬＡＮである。また、アクセスポイントＡＰは、ブロードバンドルータＢＲを介してＷＡＮ等のインターネットと接続可能である。また、リモコン１は、アクセスポイントＡＰを介して、カラオケ店舗内のＬＡＮ及びインターネットに接続される。これにより、リモコン１は、コマンダ２、センターサーバ３及び携帯端末装置に情報を送受信可能となる。
【００５９】
［４．３  センターサーバ３の電気的構成］
図６に示すように、センターサーバ３は、制御部３５と、ＬＡＮインターフェース部３６と、記憶部３７とを備える。
【００６０】
制御部３５は、ＬＡＮインターフェース部３６と、記憶部３７と電気的に接続される。制御部３５は、センターサーバ３の各種構成を制御する。制御部３５は、例えば、ＣＰＵ及びＲＡＭ等から構成されるコントローラである。
【００６１】
ＬＡＮインターフェース部３６は、センターサーバ３とネットワークと接続する。ＬＡＮインターフェース部３６により、センターサーバ３は、ブロードバンドルータＢＲまたはアクセスポイントＡＰを介してインターネット、リモコン１、コマンダ２及び携帯端末装置と通信可能になる。
【００６２】
記憶部３７は、例えば、ＨａｒｄＤｉｓｋ（ＨＤ）等の高容量の記憶媒体である。記憶部３７は、くくり付け情報記憶領域３７１と、センターサーバプログラム記憶領域３７２とを含む。
【００６３】
くくり付け情報記憶領域３７１は、くくり付け情報を記憶する。本実施形態では、センターサーバ３は、くくり付け情報として、リモコンとコマンダのくくり付け、及び、携帯端末装置とコマンダとのくくり付けとを記憶する。
【００６４】
センターサーバプログラム記憶領域３７２は、センターサーバ３のプログラムが記憶される。センターサーバ３のプログラムは、センターサーバ３を制御するプログラムである。なお、センターサーバ３のプログラムは、例えば、ネットワーク上の所定のサーバからダウンロードされるようにしてもよいし、例えば、ＣＤ−ＲＯＭ等の記録媒体に記録されて記録媒体のドライブを介して読み込まれるようにしても良い。
【００６５】
［４．４  携帯端末装置Ｋ１の電気的構成］
図６に示すように、携帯端末装置Ｋ１は、制御部５２と、メモリ５３と、操作処理部５６と、ビデオＲＡＭ５７と、映像制御部５８と、無線通信部５１とを備える。制御部５２は、メモリ５３と、操作処理部５６と、ビデオＲＡＭ５７と、映像制御部５８と、無線通信部５１と電気的に接続される。制御部５２は、携帯端末装置Ｋ１の各種構成を制御する。制御部５２は、例えば、ＣＰＵ及びＲＡＭ等から構成されるコントローラである。このため、携帯端末装置Ｋ１の制御部５２は、本発明のコンピュータとして機能する。
【００６６】
操作処理部５６は、操作部５５と電気的に接続される。操作部５５は、携帯端末装置Ｋ１のユーザにより操作される。操作部１５は、例えば、タッチパネルである。タッチパネルにより入力された位置情報が操作処理部５６に出力される。操作処理部５６は、入力された位置情報に基づいて操作内容を決定する。決定された操作内容が、制御部５２に出力される。
【００６７】
メモリ５３は、検索データ及び映像データを記憶する。メモリ５３に記憶される検索データは、例えば、センターサーバ３から取得される。本実施形態では、メモリ５３は、コマンダＩＤ記憶領域５３１と、予約リスト記憶領域５３２と、携帯端末プログラム記憶領域５３３とを含む。コマンダＩＤ記憶領域５３１は、携帯端末装置Ｋ１が取得したコマンダＩＤを記憶する。本実施形態では、携帯端末装置Ｋ１とくくり付けられるコマンダのコマンダＩＤが取得される。コマンダＩＤは、例えば、ユーザにより入力されても良い。また、各カラオケルームに、コマンダＩＤを含むＱＲコード（登録商標）が張られても良い。この場合、携帯端末装置Ｋ１に備えられたカメラによって、ＱＲコード（登録商標）が読み取られる。読み取られたＱＲコード（登録商標）が含むコマンダＩＤが、携帯端末装置Ｋ１に取得されてコマンダＩＤ記憶領域５３１に記憶される。また、コマンダ２のディスプレイ３４、または、リモコン１のディスプレイ１４にＱＲコード（登録商標）が表示されても良い。また、コマンダ２のディスプレイ３４、または、リモコン１のディスプレイ１４にコマンダＩＤが表示されても良い。
【００６８】
予約リスト記憶領域５３２は、コマンダ２に記憶された予約リストを記憶する。コマンダ２または、センターサーバ３を経由して、携帯端末装置Ｋ１は、予約リストを取得する。取得した予約リストが、携帯端末装置Ｋ１の予約リスト記憶領域５３２に記憶される。    
【００６９】
携帯端末プログラム記憶領域５３３は、携帯端末装置Ｋ１のプログラムが記憶される。携帯端末装置Ｋ１のプログラムは、携帯端末装置Ｋ１を制御するプログラムである。なお、携帯端末装置Ｋ１のプログラムは、例えば、ネットワーク上の所定のサーバからダウンロードされるようにしてもよいし、例えば、ＣＤ−ＲＯＭ等の記録媒体に記録されて記録媒体のドライブを介して読み込まれるようにしても良い。
【００７０】
メモリ５３は、例えば、不揮発性のＮＡＮＤ型のメモリである。メモリ５３に記憶される検索データは、カラオケシステムＳで配信される楽曲データを検索する情報である。検索データは、例えば、カラオケの電子早見本である。携帯端末装置Ｋ１は、検索データをセンターサーバ３から取得する。また、メモリ５３に記憶される映像データは、ディスプレイ５４により映像を表示させるための情報である。操作処理部５６により決定された操作内容に基づいて、メモリ５３に記憶された映像データが制御部５２により読み出される。そして、メモリ５３に記憶された映像データに従って、制御部５２は、ビデオＲＡＭ５７または映像制御部５８に、映像を出力させる指令を送信する。図４に示すように、制御部５２は、ビデオＲＡＭ５７と映像制御部５８とに電気的に接続される。また、映像制御部５８は、ディスプレイ５４と電気的に接続される。ビデオＲＡＭ５７は、読み出された映像データを一時記憶する。制御部５２により出力される指令に従って、映像制御部５８は、ビデオＲＡＭ５７に一時記憶された映像データを、表示部に出力させる信号に変換する。映像制御部５８は、変換した信号をディスプレイ５４に表示させる指令を送信する。映像制御部５８は、変換した信号に基づいて、ディスプレイ５４に所定の映像を表示させる。ディスプレイ５４は、情報の表示機能を備えた構成であれば良い。
【００７１】
無線通信部５１は、携帯基地局Ｃを介してネットワークへ接続可能な無線チップである。無線通信部５１により携帯端末装置Ｋ１は、携帯基地局Ｃを介してネットワークへ接続できる。これにより、携帯端末装置Ｋ１は、リモコン１、コマンダ２およびセンターサーバ３に情報を送受信可能となる。
【００７２】
［５．リモコン１の動作］
以上説明した構成からなる本実施形態のリモコン１の動作及び作用について、添付図面を参照して説明する。まず、リモコン１の動作及び作用について、添付図面を参照して説明する。図８は、リモコン１におけるメイン動作の処理手順を示すフローチャートである。リモコン１のメイン動作は、リモコン１の電源がオンにされたことにより、遂行される。以下に示す処理は、制御部１１により処理される。
【００７３】
まず、ステップＳ１０１が、ログイン処理が要求されたか否かが実行される。ログイン処理が要求されたと判定された場合（ステップＳ１０１：ＹＥＳ）、ステップＳ１０２が実行される。ログイン処理が要求されたと判定されなかった場合（ステップＳ１０１：ＮＯ）、ステップＳ１０３が実行される。
【００７４】
ステップＳ１０２では、ログイン処理が実行される。ログイン処理が実行されたのちに、ログイン処理を行ったユーザ識別情報が、ログイン情報記憶領域１３１に記憶される。
【００７５】
ステップＳ１０３では、オプション設定が選択されたか否かが判定される。オプション設定は、図３（ｂ）に示す「ガイドメロディ」、「隠し設定」、「録音する」という予約時の補助的設定である。オプション設定が選択されたと判定された場合（ステップＳ１０３：ＹＥＳ）、ステップＳ１０４が実行される。オプション設定が選択されたと判定されなかった場合（ステップＳ１０３：ＮＯ）、ステップＳ１０６が実行される。
【００７６】
ステップＳ１０４では、隠し予約設定が有効にされたか否かが判定される。図３（ｂ）に示すように、隠し予約設定が有効に設定された（図３（ｂ）のＯＮ）と判定された場合（ステップＳ１０４：ＹＥＳ）、ステップＳ１０５が実行される。隠し予約設定が有効に設定されたと判定されなかった場合（ステップＳ１０４：ＮＯ）、ステップＳ１１２が実行される。
【００７７】
ステップＳ１０５では、隠し予約設定が有効になったことを示す情報が、メモリ１３の所定の記憶領域に登録される。
【００７８】
ステップＳ１０６では、アクティブユーザの変更要求があったか否かが判定される。アクティブユーザ変更要求があったと判定された場合（ステップＳ１０６：ＹＥＳ）、ステップＳ１０７が実行される。アクティブユーザ変更要求があったと判定されなかった場合（ステップＳ１０６：ＮＯ）、ステップＳ１０８が実行される。具体的には、図３（ａ）に示すユーザ画像Ａ１〜Ａ４のいずれかが接触されたか否かが判定される。図３（ａ）に示すユーザ画像Ａ１〜Ａ４のいずれかが接触された場合、アクティブユーザ変更要求があったと判定される。
【００７９】
ステップＳ１０７では、アクティブユーザの変更処理が実行される。具体的には、ステップＳ１０６で接触されたと判定されたユーザ画像と対応するユーザへ、アクティブユーザを切り替える。ステップＳ１０６で接触されたと判定されたユーザ画像に対応するユーザ識別情報が決定される。決定されたユーザ識別情報が、アクティブ情報記憶領域１３３に記憶されて、アクティブ情報記憶領域１３３が更新される。これにより、アクティブユーザを切り替えることになる。
【００８０】
ステップＳ１０８では、予約依頼が要求されたか否かが判定される。予約依頼が要求されたと判定された場合（ステップＳ１０８：ＹＥＳ）、ステップＳ１０９が実行される。予約依頼が要求されたと判定されなかった場合（ステップＳ１０８：ＮＯ）、ステップＳ１１０が実行される。
【００８１】
ステップＳ１０９では、コマンダ２へ向けて、予約情報が送信される。具体的には、リモコン１で設定された楽曲の予約を示す予約情報が、コマンダ２へ向けて送信される。なお、予約情報は、予約された楽曲を示す楽曲識別情報と、予約したユーザを示すユーザ識別情報と、ステップＳ１０５で登録された隠し予約設定の有効または無効を示す設定情報を含む。本実施形態のリモコン１のコンピュータとステップＳ１０９とは、本発明の第１送信手段の一例である。
【００８２】
ステップＳ１１０では、予約リスト表示依頼が要求されたか否かが判定される。予約リスト表示依頼が要求されたと判定された場合（ステップＳ１１０：ＹＥＳ）、ステップＳ１１１が実行される。予約リスト表示依頼が要求されたと判定されなかった場合（ステップＳ１１０：ＮＯ）、ステップＳ１１２が実行される。なお、本実施形態のリモコン１のコンピュータとステップＳ１１０とは、本発明の受付手段の一例である。また、本実施形態のステップＳ１１０は、本発明の受付ステップの一例である。
【００８３】
ステップＳ１１１では、予約リスト表示処理が実行される。なお、予約リスト表示処理の詳細は、図９を参照して後述する。
【００８４】
ステップＳ１１２では、リモコン１の電源がオフにされたか否かが判定される。リモコン１の電源がオフにされたと判定された場合（ステップＳ１１２：ＹＥＳ）、リモコン１のメイン動作は終了される。リモコン１の電源がオフにされたと判定されなかった場合（ステップＳ１１２：ＮＯ）、ステップＳ１０１が実行される。
【００８５】
［６．予約リスト表示処理］
以下、図９を参照して、本実施形態の予約リスト表示処理について説明する。まず、ステップＳ２０１では、アクティブユーザ決定処理が実行される。具体的には、アクティブ情報記憶領域１３３に記憶されたユーザ識別情報が決定される。本実施形態のリモコン１のコンピュータとステップＳ２０１とは、本発明の決定手段の一例である。
【００８６】
ステップＳ２０２では、コマンダ２へ向けて、予約リストの取得要求が送信される。本実施形態のリモコン１のコンピュータとステップＳ２０２とは、本発明の要求手段の一例である。
【００８７】
ステップＳ２０３では、ステップＳ２０２で要求した予約リストの取得が完了したか否かが判定される。予約リストの取得が完了したと判定された場合（ステップＳ２０３：ＹＥＳ）、ステップＳ２０５が実行される。なお、ステップＳ２０３で、予約リストの取得が完了したと判定された場合、取得された予約リストは、予約リスト記憶領域１３２に記憶される。本実施形態のリモコン１のコンピュータとステップＳ２０３は、本発明の取得手段の一例である。また、本実施形態のステップＳ２０３は、本発明の取得ステップの一例である。
【００８８】
ステップＳ２０４では、予約リストが無いことを示す通知が受信されたか否かが判定される。予約リストが無いことを示す通知は、コマンダ２から送信される。予約リストが無いことを示す通知が受信されたと判定された場合（ステップＳ２０４：ＹＥＳ）、予約リスト表示処理は終了される。予約リストが無いことを示す通知が受信されたと判定されなかった場合（ステップＳ２０４：ＮＯ）、ステップＳ２０３が実行される。
【００８９】
ステップＳ２０５では、取得された予約リストの中に、アクティブユーザと一致する予約があるか否かが判定される。具体的には、ステップＳ２０１で決定されたユーザ識別情報が、予約リストに登録されているか否かが判定される。予約リストに登録されていない場合、ステップＳ２０５は、「ＮＯ」と判定される。一方、予約リストに登録されていた場合、ステップＳ２０５は、「ＹＥＳ」と判定される。アクティブユーザと一致する予約があると判定された場合（ステップＳ２０５：ＹＥＳ）、ステップＳ２０６が実行される。アクティブユーザと一致する予約があると判定されなかった場合（ステップＳ２０５：ＮＯ）、ステップＳ２１０が実行される。
【００９０】
ステップＳ２０６では、ステップＳ２０５で一致すると判定された予約の隠し予約設定が、有効になっているか否かが判定される。具体的には、予約リストの中に、ステップＳ２０５で一致すると判定されたユーザ識別情報に対応する楽曲識別情報に、隠し予約の有効が設定されている設定情報があるか否かが判定される。隠し予約の設定が有効と設定されている設定情報がある場合、ステップＳ２０６は、「ＹＥＳ」と判定される。一方、隠し予約の設定が有効と設定されている設定情報が無い場合、ステップＳ２０６は、「ＮＯ」と判定される。隠し予約設定が有効になっていると判定された場合（ステップＳ２０６：ＹＥＳ）、ステップＳ２０７が実行される。一方、隠し予約設定が有効になっていると判定されなかった場合（ステップＳ２０６：ＮＯ）、ステップＳ２１０が実行される。本実施形態のリモコン１のコンピュータとステップＳ２０６とは、本発明の第１判定手段の一例である。
【００９１】
ステップＳ２０７では、アクティブユーザと一致する隠し予約設定が解除される。具体的には、アクティブユーザと一致する隠し予約設定が無効に変更される。本実施形態のリモコン１のコンピュータとステップＳ２０７とは、本発明の第１設定手段の一例である。また、本実施形態のステップＳ２０７は、本発明の第１設定ステップの一例である。
【００９２】
ステップＳ２０８では、隠し予約設定が無効と設定された楽曲識別情報について、楽曲名が決定される。一方、隠し予約設定が有効と判定された楽曲識別情報については、楽曲名が決定されない。
【００９３】
ステップＳ２０９では、予約リストがディスプレイ１４に表示される。ステップＳ２０９では、ステップＳ２０８で決定された楽曲名を含む予約リストが、ディスプレイ１４に表示される。具体的には、隠し予約が無効に設定された楽曲識別情報については、ステップＳ２０８で決定された楽曲名が、予約リストとして表示される。一方、隠し予約が有効に設定された楽曲識別情報については、楽曲名が隠されて表示される。
【００９４】
ステップＳ２１０では、予約リストがディスプレイ１４に表示される。ステップＳ２１０では、隠し予約が無効に設定された楽曲識別情報については、楽曲識別情報に基づいて楽曲名が表示される。一方、隠し予約が有効に設定された楽曲識別情報については、楽曲名が隠されて表示される。本実施形態のリモコン１のコンピュータとステップＳ２１０とは、本発明の第２設定手段の一例である。また、本実施形態のステップＳ２１０は、本発明の第２設定ステップの一例である。
【００９５】
［７．コマンダ２の動作］
以上説明した構成からなる本実施形態のコマンダ２の動作及び作用について、添付図面を参照して説明する。まず、コマンダ２の動作及び作用について、添付図面を参照して説明する。図１０は、コマンダ２におけるメイン動作の処理手順を示すフローチャートである。コマンダ２のメイン動作は、コマンダ２の電源がオンにされたことにより、遂行される。以下に示す処理は、制御部２１により処理される。
【００９６】
ステップＳ３０１では、リモコン１から予約リストの取得が要求されたか否かが判定される。予約リストの取得が要求されたと判定された場合（ステップＳ３０１:ＹＥＳ）、ステップＳ３０２が実行される。予約リストの取得が要求されたと判定されなかった場合（ステップＳ３０１:ＮＯ）、ステップＳ３０５が実行される。
【００９７】
ステップＳ３０２では、予約があるか否かが判定される。具体的には、予約リスト記憶領域５３２に記憶された予約リストの中に、楽曲識別情報が記憶されているか否かが判定される。予約があると判定された場合（ステップＳ３０２：ＹＥＳ）、ステップＳ３０３が実行される。予約があると判定されなかった場合（ステップＳ３０２：ＮＯ）、ステップＳ３０４が実行される。
【００９８】
ステップＳ３０３では、予約リスト記憶領域５３２に記憶された予約リストが、リモコン１へ向けて送信される。本実施形態のコマンダ２のコンピュータとステップＳ３０３とは、本発明の第２送信手段の一例である。
【００９９】
ステップＳ３０４では、予約が無かったことを示す通知が、リモコン１へ向けて送信される。
【０１００】
ステップＳ３０５では、リモコン１からの予約要求が受信されたか否かが判定される。予約要求が受信されたと判定された場合（ステップＳ３０５:ＹＥＳ）、ステップＳ３０６が実行される。予約要求が受信されたと判定されなかった場合（ステップＳ３０５:ＮＯ）、ステップＳ３０７が実行される。なお、予約要求には、予約情報が含まれる。本実施形態のコマンダ２のコンピュータとステップＳ３０５とは、本発明の受信手段の一例である。
【０１０１】
ステップＳ３０６では、予約受付処理が実行される。ステップＳ３０６では、受信した予約情報に基づいて、予約リストに楽曲識別情報が追加登録される。さらに、追加された楽曲識別情報と対応付けて、設定情報とユーザ識別情報とが、予約リストに登録される。
【０１０２】
ステップＳ３０７では、予約リストの表示が要求されたか否かが判定される。予約リストの表示が要求されたと判定された場合（ステップＳ３０７：ＹＥＳ）、ステップＳ３０８が実行される。予約リストの表示が要求されたと判定されなかった場合（ステップＳ３０７：ＮＯ）、ステップＳ３１１が実行される。
【０１０３】
ステップＳ３０８では、予約リストの中に隠し予約が有効に設定された予約があるか否かが判定される。具体的には、予約リスト記憶領域５３２に記憶された予約リストの中に、隠し予約が有効に設定されている設定情報があるか否かが判定される。隠し予約が有効に設定された予約があると判定された場合（ステップＳ３０８：ＹＥＳ）、ステップＳ３０９が実行される。隠し予約が有効に設定された予約があると判定されなかった場合（ステップＳ３０８：ＮＯ）、ステップＳ３１０が実行される。
【０１０４】
ステップＳ３０９では、隠し予約が設定された予約リストがディスプレイ３４に表示される。具体的には、隠し予約が無効に設定された楽曲識別情報については、楽曲名が予約リストとして表示される。一方、隠し予約が有効に設定された楽曲識別情報については、楽曲名が隠されて表示される。本実施形態のコマンダ２のコンピュータとステップＳ３０９とは、本発明の第３設定手段の一例である。
【０１０５】
ステップＳ３１０では、隠し予約が設定されずに、予約リストがディスプレイ３４に表示される。具体的には、楽曲名が予約リストとして表示される。
【０１０６】
ステップＳ３１１では、コマンダ２の電源がオフにされたか否かが判定される。コマンダ２の電源がオフにされたと判定された場合（ステップＳ３１１：ＹＥＳ）、コマンダ２のメイン動作は終了される。コマンダ２の電源がオフにされたと判定されなかった場合（ステップＳ３１１：ＮＯ）、ステップＳ３０１が実行される。
【０１０７】
本実施形態では、リモコン１のアクティブユーザについて、隠し予約設定を無効し、楽曲名を確認可能にしていたが、これに限定されるものではない。変形例として、リモコン１にログインしているログインユーザについて、隠し予約設定を無効し、楽曲名を確認可能にしても良い。この場合、ステップＳ２０５で、リモコン１のログイン情報記憶領域１３１に記憶されたユーザ識別情報と一致するユーザ識別情報が、予約リストに登録されていたか否かが判定されても良い。リモコン１のログイン情報記憶領域１３１に記憶されたユーザ識別情報と一致するユーザ識別情報が、予約リストに登録されていたと判定された場合、ステップＳ２０６及びステップＳ２０７が実行される。そして、ステップＳ２０６及びステップＳ２０７では、一致すると判定されたユーザ識別情報と対応付けられた楽曲識別情報の隠し予約設定が、有効から無効に変更されても良い。
【０１０８】
本実施形態では、リモコン１のディスプレイ１４に、予約リストが表示される場合について説明したがこれに限定されるものではない。例えば、リモコン１の代わりに、携帯端末装置Ｋ１に、本実施形態が適用されても良い。この場合、例えば、携帯端末装置Ｋ１のメモリ５３に、ログイン情報記憶領域１３１、予約リスト記憶領域１３２、アクティブ情報記憶領域１３３及びリモコンプログラム記憶領域１３４が設定されることになる。また、携帯端末装置Ｋ１のディスプレイ５４に、図３〜図５に表示される表示画面が表示されて、本実施形態の図８及び図９の処理が携帯端末装置Ｋ１により実行されることになる。
【０１０９】
また、本実施形態の変形例として、例えば、ユーザ識別情報を用いて、携帯端末装置Ｋ１へログインしても良い。この場合、ログイン処理に用いられたユーザ識別情報が、携帯端末装置Ｋ１のメモリ５３の所定の記憶領域に記憶される。そして、本実施形態の図８及び図９の処理が携帯端末装置Ｋ１により実行される。この場合、ステップＳ２０５で、携帯端末装置Ｋ１の所定の記憶領域に記憶されたユーザ識別情報と一致するユーザ識別情報が、予約リストに登録されていたか否かが判定されても良い。携帯端末装置Ｋ１の所定の記憶領域に記憶されたユーザ識別情報と一致するユーザ識別情報が、予約リストに登録されていたと判定された場合、ステップＳ２０６及びステップＳ２０７が実行される。そして、ステップＳ２０６及びステップＳ２０７では、一致すると判定されたユーザ識別情報と対応付けられた楽曲識別情報の隠し予約設定が、有効から無効に変更されても良い。そして、ステップＳ２０８では、隠し予約設定が解除されて、携帯端末装置Ｋ１のディスプレイ５４に、楽曲名が表示されても良い。
【０１１０】
また、本実施形態のステップＳ２０９の後に、ステップＳ２１１として、ステップＳ２０７が実行されてから所定の期間が経過したか否かが判定されても良い。なお、所定期間については、リモコン１の制御部１１の計時機能により測定される。所定の期間が経過したと判定された場合（ステップＳ２１１：ＹＥＳ）、ステップＳ２１２として、ステップＳ２０７で解除された隠し予約設定が、再度、有効に設定されても良い。そして、予約リスト表示処理は、終了される。一方、所定の期間が経過したと判定されなかった場合（ステップＳ２１１：ＮＯ）、ステップＳ２１１が再度実行されても良い。この結果、隠し予約が所定期間の間だけ、一時的に解除されることで、他のユーザに予約曲が知られることを防ぎ、隠し予約の内容を確認することができる。なお、本実施形態のリモコン１のコンピュータとステップＳ２１１とは、本発明の第２判定手段の一例である。
【０１１１】
本実施形態のステップＳ２０２で、コマンダ２に予約された予約リストの取得を要求しているが、ステップＳ２０２で要求される予約リストが、コマンダ２に予約された全ての楽曲が登録されたリストであっても良い。また、ステップＳ２０２で要求される予約リストが、コマンダ２に予約された一部の楽曲が登録されたリストであっても良い。この場合、コマンダ２により再生される順番が早い楽曲から順に所定の数の楽曲が、楽曲リストとしてステップＳ２０２で取得されても良い。
【符号の説明】
【０１１２】
１  リモコン
２  コマンダ
３  センターサーバ
１１  制御部
１３１  ログイン情報記憶領域
１３２  予約リスト記憶領域
１３３  アクティブ情報記憶領域
Ｋ１  携帯端末装置
Ｋ２  携帯端末装置
Ｋ３  携帯端末装置
【図１】
0005516634.tif 000002
【図２】
0005516634.tif 000003
【図３】
0005516634.tif 000004
【図４】
0005516634.tif 000005
【図５】
0005516634.tif 000006
【図６】
0005516634.tif 000007
【図７】
0005516634.tif 000008
【図８】
0005516634.tif 000009
【図９】
0005516634.tif 000010
【図１０】
0005516634.tif 000011